(57)【要約】      （修正有）【課題】上フタと容器本体と中間容器とからなる容器で、容器に入れた内容物が減少したら、中間容器を外して、容器本体を上に移動させて内容物が容器に対して慨満杯の状態になる、容器を提供する。【解決手段】連結部６２を有する蓋部１７と、一方の端に連結部を多端に連結部６２有する中間容器と、下端に連結部１９と上端に連結部を有する容器本体１５からなる重ね容器において、連結部をネジやフック等を介して連結させる。内容物、例えばコーヒーが中間容器の上端まで入った状態から費消して、容器本体部分までに減少したら、中間容器を取り外すと、容器本体が一番上に来ることになり、結果としてコーヒーは容器本体に対して満杯の状態となり、取り出しやすくなる（掬いやすくなる）。【選択図】図８
2014218263.tif 000002
【特許請求の範囲】
【請求項１】
両端に開口部を有する筒状の周側板の一方の端部に連結部Ｂを設け、前記連結部Ｂと前記筒状の周側板の他端との間の適宜な位置に底板で前記筒の内部を閉止して底面部を形成し、さらに前記周側板の他端には連結部Ａを形成した容器本体と、両端に開口部を有する筒状の周側板の一方の端部には連結部Ｂが、他端には前記連結部Ａが設けられた一個もしくは複数個の筒状の中間容器と、両端に開口部を有する筒状の周側板の一端を上板で閉止して上面部を形成し、開口部をなしている他端には前記連結部Ｂが設けられて蓋部を形成し、前記容器本体と前記中間容器と前記蓋部とが、前記連結部Ａと前記連結部Ｂとからなる連結部で着脱自在に連結されることを特徴とする、重ね容器。
【請求項２】
前記容器本体は、両端に開口部を有する筒状の周側板の一端を底板で閉止して底面部を形成し、前記底面部に対向するもう一方の開口部の端部には連結部Ａを設けて容器本体とする請求項１に記載の、重ね容器。
【請求項３】
前記連結部の前記連結部Ａには雄ネジもしくは雌ネジを設け、また前記連結部Ｂには雌ネジもしくは雄ネジを設けてネジを介した連結されることを特徴とする請求項１もしくは請求項２に記載の、重ね容器。
【請求項４】
前記連結部の前記連結部Ａには凸フック部もしくは凹フック部を、前記連結部Ｂには凹フック部もしくは凸フック部を設けてフックによる掛止で連結されることを特徴とする請求項１もしくは請求項２に記載の、重ね容器。
【請求項５】
前記連結部の前記連結部Ａに前記連結部Ｂが、もしくは連結部Ｂに連結部Ａが嵌入することにより連結されることを特徴とする請求項１もしくは請求項２に記載の、重ね容器。
【請求項６】
前記連結部の連結部Ａと連結部Ｂに線ファスナーを設け、線ファスナーを介して連結されることを特徴とする請求項１もしくは請求項２に記載の、重ね容器。
【請求項７】
面ファスナーのフック／ループ部の一端に幅が前記フック／ループ部より広い面ファスナーのループ／フック部の一端を接着もしくは縫着等で固着させ、前記フック／ループ部を前記容器本体のまたは前記中間容器の連結部Ａに接着等で固着させて連結部Ａとし、一方前記各容器および前記蓋部の連結部Ｂには面ファスナーのフック／ループ部を接着等で固着させて連結部Ｂとし、面ファスナーを介して連結させることを特徴とした請求項１もしくは請求項２の、重ね容器。    
【発明の詳細な説明】
【技術分野】
【０００１】
本発明は、複数の容器を重ねて一つの容器となす、重ね容器に関するものである。
【背景技術】
【０００２】
従来、複数の容器を重ねて、容器にする技術があったが、重ねられた容器はそれぞれに底板のついた容器で、いわば一つずつ独立した容器を複数個かさねたものであった。
【先行技術文献】
【特許文献】
【０００３】
【特許文献１】特許公開２００２−３６２５６５
【特許文献２】実用新案登録第３０９９８９７号
【発明の概要】
【発明が解決しようとする課題】
【０００４】
従来容器と称されるものは上記の先行技術文献に見られるように、底板のある個々の容器を重ねる技術に関するもので、複数の容器を重ねて一つの容器とするものはなかった。本発明は、これらの問題点を解決するためになされたものである。
【課題を解決するための手段】
【０００５】
容器の素材は特定のものに限定しない。プラスチックでもガラスでも何でもよい。また容器に詰めるものは特定しないが、以下においては「コーヒー」用の容器として論を進めることにする。
まず、本発明の構造について述べる。図１の（Ａ）が参照図である。
両端に開口部を有する筒状の周側板の一方の端部に連結部Ｂを設け、前記連結部Ｂと前記筒状の周側板の他端との間の適宜な位置に底板で前記筒の内部を閉止して底面部を形成し、さらに前記周側板の他端には連結部Ａを形成して容器本体とする。
または図１の（Ｃ）に示すように、前記容器本体は、両端に開口部を有する筒状の周側板の一端を底板で閉止して底面部を形成し、前記底面部に対向するもう一方の開口部の端部には連結部Ａを設けて容器本体とする。
上記は容器本体において連結部Ｂと連結部Ａの両方を有するか、連結部Ａのみを有するかの違いである。以下においては連結部ＡとＢを有する容器本体を例にとって論を進める。
次に、両端に開口部を有する筒状の周側板の一方の端部には連結部Ｂを、他端には前記連結部Ａを設けて筒状の中間容器とし、
さらに、両端に開口部を有する筒状の周側板の一端を上板で閉止して上面部を形成し、開口部をなしている他端には前記連結部Ｂを設けて蓋部とする。
連結部Ａと連結部Ｂには連結手段としてネジやフック、線ファスナー、面フアスナー等を設けこれらの連結手段を介して、もしくは連結部Ｂが連結部Ａに嵌入することにより、各容器や蓋部を相互に連結可能とする。上記により連結した容器を重ね容器とよぶことにする。
なお、前記容器を連結するに際し前記中間容器の数は一個もしくは複数個あってもよい。
【０００６】
作用としては以下のようになる。
上記のような構造からなる前記容器本体の前記連結部Ａと前記中間容器の前記連絡部Ｂとを連結して一つの容器とし、前記中間容器の前記連結部Ａに前記蓋部の前記連結部Ｂを連結すれば蓋付きの容器となる。
また、前記中間容器の前記連結部Ａを前記容器本体の前記連結部Ｂと連結させれば、底面部を有する前記容器本体が筒状の前記中間容器の上部に連結されることになり、前記容器本体の前記連結部Ａに前記蓋部の前記連結部Ｂを連結し、蓋付きの容器とすることもできる。
なお既述のとおり前記中間容器の数は複数個になってもよい。
【０００７】
本発明の構造と作用は上記のとおりであるが、次に効果について述べる。
図８の（Ａ）に示すように、前記容器本体と前記中間容器が連結されており、コーヒーの粉（以下「コーヒー」と記す）が前記中間容器の破線で示す位置にあり、ここを上端とみなしていわば満杯状態にあったとする。
コーヒーの費消が進み、コーヒーが図８の（Ｂ）のように前記容器本体の上端まで減少した時点で、空になった前記中間容器を前記容器本体から取り外し前記中間容器の連結部Ａを前記容器本体の連結部Ｂに連結する。この状態を示したのが図８の（Ｃ）である。ここにおいて、コーヒーは前記容器本体においては満杯の状態にあり、図８の（Ｂ）の状態でコーヒーをスプーン等で掬うよりは図８の（Ｃ）の満杯の状態で掬う方が掬いやすい、という効果を得ることができる。
なお、前記容器本体に連結部Ｂを設けていない場合は、図８の（Ｂ）の状態になった時点で前記中間容器は破棄等してもよい。
【０００８】
図９はコーヒーが詰替え袋に入れて容器に保存されている場合である。コーヒーは中間容器の上端にあり満杯状態である。
コーヒーの費消が進み、コーヒーが図９の（Ｂ）のように前記容器本体の上端まで減少した時点で、空になった前記中間容器を前記容器本体から取り外し、突出した詰替え袋を前記容器本体の上端部分でハサミ等によりカットする。詰替え袋をカットし、空いた中間容器を容器本体の連結部Ｂに連結した状態が図９の（Ｃ）である。
コーヒーは前記容器本体に対して満杯状態にあるのでスプーン等で掬いやすい、という効果を得ることができる。
【発明の効果】
【０００９】
従来縦に長い（深い）容器に入った例えばコーヒー（やお茶など）は、消費が進み残量が少なくなると、容器が細長いため取り出すのが容易ではなかった。
本発明のように、容器を複数個着脱自在につなげて容器とすれば、容器に対してコーヒーを常に満杯ないし満杯に近い状態にしておくことができ、コーヒーを掬うのも容易になる。
また、内容物を容器に対して満杯ないし満杯に近い状態にすると、一回ごとの消費量も若干ながら増加するので、売上げの増加にも寄与する。
【図面の簡単な説明】
【００１０】
【図１】周側板の外側に連結部手段としてネジを用いた重ね容器の図で、（Ａ）は分解構成図であり、（Ｂ）は容器を重ね蓋をした状態を示す図であり、（Ｃ）は容器本体の下部に連結部を設けない重ね容器を示す図である。      （実施例１）
【図２】周側板の外縁に連結手段としてネジを用いた重ね容器の図で、（Ａ）は分解構成図であり、（Ｂ）は容器を重ね蓋をした状態を示す図であり、（Ｃ）は容器本体の下部に連結部を設けない重ね容器を示す図である。        （実施例２）
【図３】連結手段としてフックを用いた重ね容器のフック部の拡大図で、（Ａ）は分解構成図であり、（Ｂ）は連結させた状態を示す図である。        （実施例３）
【図４】連結手段としてフックを用いた重ね容器の図で、（Ａ）は分解構成図であり、（Ｂ）は容器を重ね蓋をした状態を示す図であり、（Ｃ）は容器本体の下部に連結部を設けない重ね容器を示す図である。                          （実施例３）
【図５】連結部が他の連結部に嵌入して連結する重ね容器の図で、（Ａ）は分解構成図で        あり、（Ｂ）は容器を重ね蓋をした状態を示す図であり、（Ｃ）は容器本体の下部に連結部を設けない重ね容器を示す図である。                （実施例４）
【図６】連結手段として線ファスナーを用いた重ね容器の図で、（Ａ）は分解構成図であり、（Ｂ）は容器を重ね蓋をした状態を示す図であり、（Ｃ）は連結部した状態を示す図である。                                          （実施例５）
【図７】連結手段として面ファスナーを用いた重ね容器の図で、（Ａ）は分解構成図であり、（Ｂ）は容器を重ね蓋をした状態を示す図であり、（Ｃ）は連結部の状態を上面から見た断面図である。                                （実施例６）
【図８】重ね容器の使用状態を示す図で、（Ａ）は内容物が中間容器までいっぱいの状態を示す図で、（Ｂ）は内容物が容器繁体の上部まで費消された状態を示す図で、（Ｃ）は中間容器を容器本体の下部に連結し、内容物が満杯の状態になったことを示す図である。
【図９】詰替え袋と一緒に重ね容器に入れた状態を示す図で、（Ａ）は使用開始時の満杯の状態を示す図で、（Ｂ）は中間容器部分まで費消したので詰め替え容器をカットする状態を示す図で、（Ｃ）は詰替え袋をカットし、中間容器を容器本体の下部に連結した状態を示す図である。
【発明を実施するための最良の形態】
【００１１】
容器の素材は特定のものに限定しない。プラスチックでもガラスでも何でもよい。また容器に詰めるものは特定しないが、以下においては「コーヒー」用の容器として論を進めることにする。
本発明の構造と作用・効果については上記（０００５）から（０００８）に述べたとおりである。以下これを使用するときの実施例について述べる。なお、上述したように容器本体は底面部に連結部Ｂを設ける場合と設けない場合があるが、以後においては設けた場合について述べることにする。
【実施例１】
【００１２】
構造について述べる。参照図は図１である。
まず蓋部の構造について述べる。両端に開口部を有し、後述する中間容器や容器本体の外径と同一の内径よりなる筒の一端を上板で閉止して上面部１２Ａを形成し、開口部をなしている他端の内縁には雌ネジ１４を設けて連結部Ｂ１９とする。以上のことより、上記筒は前記上面部１２Ａと前記連結部Ｂ１９から構成された蓋部１７に形成される。
次に、中間容器１６の構造について述べる。両端に開口部を有する筒状の周側板１０の一方の端部の外縁に前記中間容器１６の外径と同一の内径でかつ前記連結部Ｂ１９が螺入可能な雄ネジ１３を外縁に設けて連結部Ａ１８を形成する。次に、前記周側板１０のもう一方の端の外縁には前記連結部Ｂ１９を形成する。
以上のことから前記中間容器１６は一方の端に連結部Ａをもう一方の端には連結部Ｂを有する筒状の容器である。
次に、容器本体の構造について述べる。両端に開口部を有する筒状の周側板１０の一方の端部の外縁には前記連結部Ｂ１９を設け、前記連結部Ｂ１９と前記筒状の周側板１０の他端との間の適宜な位置に底板で前記筒の内部を閉止して底面部１２を形成し、さらに前記周側板１０の他端の外縁には前記連結部Ａ１８を設けて容器本体１５を形成する。
なお、容器本体に関しては、図１の（Ｃ）に示すような前記連結部Ｂ１９を有しない構造にしてもよい。以下の論考においては連結部Ｂ１９を有する容器本体を用いて論を進めることにする。
以上からなる前記容器本体１５と前記中間容器１６と前記蓋部１７は雄ネジ１３と雌ネジ１４を介して連結し、重ね容器となる。表現を変えれば、前記連結部Ａ１８と前記連結部Ｂ１９を介して連結し、重ね容器となるともいえる。連結した状態を示すのが図１の（Ｂ）もしくは図１の（Ｃ）である。
また、前記中間容器１６の数は複数個あってもよい。
【００１３】
上記構造の重ね容器の使用方法と効果を述べる。
図８の（Ａ）は前記容器本体１５と前記中間容器１６を連結しコーヒーを詰め、前記蓋部１７をした状態を示している。斜線はコーヒーが詰まった状態を示し、波線の位置はコーヒーが上端まで詰まっている満杯状態を示しているものとする。
コーヒーの費消が進み図８の（Ｂ）のように前記中間容器１６が空になり前記容器本体１５部分が満杯になった時点で、前記中間容器１６を前記容器本体１５から取り外し、図８の（Ｃ）に示すように前記容器本体１５の前記連結部Ｂ１９に連結する
以上のことで、コーヒーは常に満杯もしくは満杯に近い状態となるのでスプーン等で掬い易くなる。また常に満杯もしくは満杯に近い状態にあるため掬う量も増え、消費量が増加する。
【実施例２】
【００１４】
実施例２の構造はについて述べる。参考図は図２の（Ａ）である。
実施例１においては、前記連結部Ｂ１９や前記連結部Ａ１８の内径を前記容器本体１５や前記中間容器１６の外径より大きくして設けたが、実施例２においては図２の（Ａ）に示すように連結部Ｂ１９においては雌ネジ１４を前記周側板１０の内縁部に前記雌ネジ１４の山の高さを前記周側板１０の肉厚以内に成形し、一方連結部Ａ１８においては雄ネジ１３を前記周側板１０の外縁部に前記雄ネジ１３の山の高さを前記周側板１０の肉厚以内に成形し、前記連結部Ｂ１９が前記連結部Ａ１８に螺入可能と構造とする。
上記の構造により連結した状来を示すのが図２の（Ｂ）や図２の（Ｃ）である。
使用方法及び効果は上記（００１３）と同じであるため省略する。
【実施例３】
【００１５】
実施例３の構造は、実施例１や２では前記連結部Ａ１８に雄ネジ１３を設けた代わりに前記連結部Ａに凸フック２３を、また前記連結部Ｂには凹フック２４を連結手段として設ける場合である。
構造について述べる。まず蓋部２７の構造について述べる。両端に開口部を有し、後述する中間容器や容器本体の外径と同一の内径よりなる筒の一端を上板で閉止して上面部２２Ａを形成し、開口部をなしている他端の内縁側に突起を設けた凹フック部２４を形成し、これを連結部Ｂ２９とする。以上のことより、上記筒は前記上面部２２Ａと前記連結部Ｂ２９から構成された蓋部２７に形成される。前記蓋部２７の前記連結部Ｂ２９の断面図が図３の（Ａ）である。
次に、中間容器２６の構造について述べる。両端に開口部を有する筒状の周側板２０の一方の端部の外縁に前記中間容器２６の外径と同一の内径でかつ前記連結部Ｂ２９が螺入可能な雄ネジ２３を外縁に設けて連結部Ａ２８を形成する。次に、前記周側板２０のもう一方の端の外縁には前記連結部Ｂ２９を形成する。図３の（Ａ）は前記連結部Ａ２８の断面図である。
前記連結部２８に前記連結部２９を嵌入させて、図３の（Ｂ）に示すようにして連結する。
次に、容器本体の構造について述べる。参考図は図４の（Ａ）である。両端に開口部を有する筒状の周側板２０の一方の端部の外縁には前記連結部Ｂ２９を設け、前記連結部Ｂ２９と前記筒状の周側板２０の他端との間の適宜な位置に底板で前記筒の内部を閉止して底面部２２を形成し、さらに前記周側板２０の他端の外縁には前記連結部Ａ２８を設けて容器本体２５形成する。
なお、容器本体に関しては、図４の（Ｃ）に示すような前記連結部Ｂ２９を有しない構造にしてもよい。以下の論考においては連結部Ｂ２９を有する容器本体を用いて論を進めることにする。
上記実施例２で述べたような前記凸フック２３や前記凹フック２４の外径や内径を前記周側板２０の内径や外径と同一にしてもよいがここでは詳述を省略する。
作用は以下のようになる。前記凸フック２３に前記凹フック２４を嵌入させれば前記凸フック２３に前記凹フック２４が掛止されることにより、容器本体２５と中間容器２６および蓋部２７は連結可能となる。
使用方法と効果は上記（００１３）と同一であるため省略する。
【実施例４】
【００１６】
実施例４の構造は次のとおりである。
まず蓋部２７の構造について述べる。両端に開口部を有し、後述する中間容器や容器本体の外径より大きな内径よりなる筒の一端を上板で閉止して上面部３２Ａを形成し、開口部をなしている他端は適宜な幅の嵌入部３９を形成して連結部Ｂ３９とする。以上のことより、上記筒は前記上面部３２Ａと前記連結部Ｂ３９から構成された蓋部３７に形成される。参照図は図５の（Ａ）である。
次に、中間容器３６の構造について述べる。両端に開口部を有する筒状の周側板３０の一方の端部の外縁に前記連結部Ｂ３９が嵌入可能であるが嵌入を一定の位置で阻止したり、嵌入の密着性を強めるためのストッパー３３を設け連結部Ａ３８を形成する。次に、前記周側板３０のもう一方の端の外縁には前記連結部Ｂ３９を形成する。
次に、容器本体の構造について述べる。参考図は図５の（Ａ）である。両端に開口部を有する筒状の周側板３０の一方の端部の外縁には前記連結部Ｂ３９を設け、前記連結部Ｂ３９と前記筒状の周側板３０の他端との間の適宜な位置に底板で前記筒の内部を閉止して底面部３２を形成し、さらに前記周側板３０の他端の外縁には前記連結部Ａ３８を設けて容器本体３５形成する。
前記連結部Ａ３８に前記連結部Ｂ３９を嵌入させて、図５の（Ｂ）に示すようにして連結する。
なお、容器本体３４に関しては、図５の（Ｃ）に示すような前記連結部Ｂ３９を有しない構造にしてもよい。以下の論考においては連結部Ｂ３９を有する容器本体を用いて論を進めることにする。
前記連結部Ｂ３９の外径を前記容器本体３５や前記中間容器３６の内径以内とする構造にし、前記連結部Ｂ３９が各容器の内部に嵌入する構造もあるがここでは詳述を省略する。実施例４により容器を重ねた状態を示すのが図５の（Ｂ）や（Ｃ）である。
使用方法と効果は上記（００１３）と同一のため省略する。
【実施例５】
【００１７】
実施例５の構造は次のとおりである。
まず蓋部４７の構造について述べる。両端に開口部を有し、後述する中間容器や容器本体の外径と同一もしくは大きな内径よりなる筒の一端を上板で閉止して上面部４２Ａを形成し、開口部をなしている他端は先端が前記容器本体４４や前記中間容器４５の内径より小さくした適宜な幅の嵌入部４９を形成し、さらに前記嵌入部４９より前記上面部４２Ａに近い適宜な場所で前記筒の外縁に線ファスナー４３を設けて連結部Ｂ４９とする。以上のことより、上記筒は前記上面部４２Ａと前記連結部Ｂ４９から構成された蓋部４７に形成される。参照図は図６の（Ａ）である。
次に、中間容器４６の構造について述べる。両端に開口部を有する筒状の周側板４０の一方の端部の外縁に線ファスナーを設け連結部Ａ４８を形成する。次に、前記周側板４０のもう一方の端の外縁には前記連結部Ｂ４９を形成する。
次に、容器本体の構造について述べる。参考図は図６の（Ａ）である。両端に開口部を有する筒状の周側板４０の一方の端部の外縁には前記連結部Ｂ４９を設け、前記連結部Ｂ４９と前記筒状の周側板４０の他端との間の適宜な位置に底板で前記筒の内部を閉止して底面部４２を形成し、さらに前記周側板４０の他端の外縁には前記連結部Ａ４８を設けて容器本体４５形成する。
前記連結部Ａ４８に前記連結部Ｂ４９を嵌入させた後、前記線ファスナー４３で連結する。参照図は図６の（Ｂ）や（Ｃ）である。
使用方法と効果は上記（００１３）と同一のため省略する。
【実施例６】
【００１８】
実施例６の構造は、連結部に面ファスナーを用いるものである。
まず蓋部５７の構造について述べる。両端に開口部を有し、後述する中間容器や容器本体の外径と同一もしくは大きな内径よりなる筒の一端を上板で閉止して上面部５２Ａを形成し、開口部をなしている他端は先端が前記容器本体５４や前記中間容器５５の内径より小さくした適宜な幅の嵌入部５９を形成し、さらに前記嵌入部５９より前記上面部５２Ａに近い適宜な場所で前記筒の外縁に面ファスナーのフック部５３／ループ部５４を設けて連結部Ｂ５９とする。以上のことより、上記筒は前記上面部５２Ａと前記連結部Ｂ５９から構成された蓋部５７に形成される。参照図は図７の（Ａ）である。
次に、中間容器５６の構造について述べる。面ファスナーのフック部５３／ループ部５４の一端に前記フック部５３／ループ部５４寄りの広い幅を有するループ部５４／フック部５３を縫着もしくは接着等の方法で固着させ、前記面ファスナーのフック部５３／ループ部５４を両端に開口部を有する筒状の周側板５０の一方の端部の外縁に接着等の方法で固着させ連結部Ａ５８を形成する。次に、前記周側板５０のもう一方の端の外縁には前記連結部Ｂ５９を形成する。なお、上記のように二枚の面ファスナーを固着させず、前記蓋部５７や前記中間容器５６、前記容器本体に固着させたフック部５３／ループ部５４に別途幅広の前記フック部５３／ループ部５４を巻きつけてもよい。
次に、容器本体の構造について述べる。参考図は図７の（Ａ）である。両端に開口部を有する筒状の周側板５０の一方の端部の外縁には前記連結部Ｂ５９を設け、前記連結部Ｂ５９と前記筒状の周側板５０の他端との間の適宜な位置に底板で前記筒の内部を閉止して底面部５２を形成し、さらに前記周側板５０の他端の外縁には前記連結部Ａ５８を設けて容器本体５５形成する。
前記連結部Ａ５８に前記連結部Ｂ５９を嵌入させた後、面ファスナーの機能により前記中間容器５６と前記容器本体５５と蓋部５７を連結させる。参照図は図７の（Ｂ）である。
なお、図７の（Ｃ）は面ファスナーによる連結の状態の上面図である。  
使用方法と効果は上記（００１３）と同一のため省略する。
【符号の説明】
【００１９】
１０    周側板        ３０    周側板        ５０    周側板      ５９Ａ  嵌入部
１１    底板          ３１    底板          ５１    固着部
１２    底面部        ３２    底面部        ５２    底面部
１２Ａ  上面部        ３２Ａ  上面部        ５２Ａ  上面部
１３    雄ネジ        ３３    ストッパー    ５３    フック部
１４    雌ネジ        ３４    容器本体      ５４    ループ部
１５    容器本体      ３５    中間容器      ５５    容器本体
１６    中間容器      ３６    蓋部          ５６    中間容器
１７    蓋部          ３７    嵌入部        ５７    蓋部
１８    連結部Ａ      ３８    連結部Ａ      ５８    連結部Ａ
１９    連結部Ｂ      ３９    連結部Ｂ      ５９    連結部Ｂ
２０    周側板        ４０    周側板        ６０    内容物
２１    底板          ４１    底板          ６１    詰替え袋
２２    底面部        ４２    底面部        ６２    連結部
２２Ａ  上面部        ４２Ａ  上面部
２３    凸フック部    ４３    線ファスナー
２４    凹フック部    ４４    容器本体
２５    容器本体      ４５    中間容器
２６    中間容器      ４６    蓋部
２７    蓋部          ４７    嵌入部
２８  連結部Ａ        ４８    連結部Ａ
２９  連結部Ｂ        ４９    連結部Ｂ
【図１】
2014218263.tif 000003
【図２】
2014218263.tif 000004
【図３】
2014218263.tif 000005
【図４】
2014218263.tif 000006
【図５】
2014218263.tif 000007
【図６】
2014218263.tif 000008
【図７】
2014218263.tif 000009
【図８】
2014218263.tif 000010
【図９】
2014218263.tif 000011